(57)【要約】【課題】流通時又は収納時の省スペース化を図ると共に、簡便かつ衛生的に食器として利用することを目的とする。【解決手段】内容物を収容し略扁平形状の袋体２と、該袋体２の少なくとも下端部から胴部を囲繞し、内側に前記袋体が接着されるスリーブ材３と、を備え、該スリーブ材３が、前記袋体２の未開封状態において、前記袋体２の両側部と該両側部間の２箇所とを含む計４か所に折れ線が付され、この折れ線のうち対角線上に位置する一対の折れ線が折り畳まれると共に、他の一対の折れ線が若干折り込まれることにより、前記胴部の横断面が略菱形状とされている食品用複合容器１を提供する。【選択図】図１
2014105013.tif 000002
【特許請求の範囲】
【請求項１】
内容物を収容し略扁平形状の袋体と、
該袋体の少なくとも下端部から胴部を囲繞し、内側に前記袋体が接着されるスリーブ材と、を備え、
該スリーブ材が、前記袋体の未開封状態において、前記袋体の両側部と該両側部間の２箇所とを含む計４か所に折れ線が付され、この折れ線のうち対角線上に位置する一対の折れ線が折り畳まれると共に、他の一対の折れ線が若干折り込まれることにより、前記胴部の横断面が略菱形状とされている食品用複合容器。
【請求項２】
使用状態において、前記胴部の横断面が矩形状である請求項１に記載の食品用複合容器。
【請求項３】
前記袋体が耐熱性を有する請求項１に記載の食品用複合容器。
【請求項４】
前記袋体の上端の一部が前記スリーブ材側に折り返されるようになっており、該折り返された部分が直飲部を構成する請求項１乃至請求項３の何れか１項に記載の食品用複合容器。
【請求項５】
前記スリーブ材の上端部に、該上端部の少なくとも一部を覆う保護材が貼付されている請求項１乃至請求項３の何れか１項に記載の食品用複合容器。
【請求項６】
前記スリーブ材の折れ線が折り畳まれることにより形成された角部のうち、少なくとも１の角部近傍が、前記袋体の側部を挟み込んで固定する請求項１に記載の食品用複合容器。
【請求項７】
請求項１から請求項６の何れか１項に記載の食品用複合容器の使用方法であって、
前記袋体の上端部を切断することにより開封し、
前記スリーブ材の前記一対の折れ線を起こすと共に、前記他の一対の折れ線を更に折り込むことにより、スリーブ材の胴部の横断面を矩形状とする食品用複合容器の使用方法。
【発明の詳細な説明】
【技術分野】
【０００１】
本発明は、食品用複合器及び食品用複合容器の使用方法に関するものであり、特に、食品を収容しながら食器として機能する複合容器及び食品用複合容器の使用方法に関するものである。
【背景技術】
【０００２】
従来より、食品を収容する種々の容器が知られている。
例えば、特許文献１には、軟包装体と軟包装体の外側に設けられる外装部材とからなる複合容器であって、外装部材の折り畳み線を起こすことによって自立性を持たせた、スナック食品、菓子、健康食品等の内容物を収容する容器として好適な容器が開示されている。
また、例えば、特許文献２には、インスタント味噌汁やインスタントコーヒー等を収容した状態で流通するカップ形状の包装体であり、当該包装体をそのまま食器として利用可能な容器が開示されている。
【先行技術文献】
【特許文献】
【０００３】
【特許文献１】特開２００６−２４０６７１号公報
【特許文献２】特開２００３−２４６３６７号公報
【発明の概要】
【発明が解決しようとする課題】
【０００４】
しかしながら、例えば、フリーズドライ加工された即席味噌汁やスープ等の即席食品や、シリアル等の液体を追加して喫食する食品を収容する場合には、従来の容器では、以下のような問題がある。
すなわち、例えば、味噌汁やスープ等の即席食品の場合、利便性の観点から容器がそのまま食器として使用できることが好ましいが、即席食品は熱湯を注いで喫食するものであることから、単に自立性を有するだけではそのまま食器として利用することは困難である。一方、カップ形状の容器の場合には、食器として使用しやすいという利点があるものの、容器は予め液体を入れることを想定した容積を有するので、収容される食品の大きさに比して容器が大きく、流通時や収納時に嵩張るという問題がある。
また、味噌汁やスープ等の即席食品は勿論、その他の喫食時に液体を追加する食品の場合、喫食者は容器に直接口をつけて液体を直飲みすることがしばしば行われるが、容器をそのまま食器として利用する場合には、流通時や収納時に容器に付着した汚れもそのまま喫食することとなり不衛生である。
【０００５】
本発明は、このような事情に鑑みてなされたものであって、流通時又は収納時の省スペース化を図ると共に、簡便かつ衛生的に食器として利用することができる食品用複合容器及び食品用複合容器の使用方法を提供することを目的とする。
【課題を解決するための手段】
【０００６】
上記課題を解決するために、本発明は以下の手段を採用する。
本発明は、内容物を収容し略扁平形状の袋体と、該袋体の少なくとも下端部から胴部を囲繞し、内側に前記袋体が接着されるスリーブ材と、を備え、該スリーブ材が、前記袋体の未開封状態において、前記袋体の両側部と該両側部間の２箇所とを含む計４か所に折れ線が付され、この折れ線のうち対角線上に位置する一対の折れ線が折り畳まれると共に、他の一対の折れ線が若干折り込まれることにより、前記胴部の横断面が略菱形状とされている食品用複合容器を提供する。
【０００７】
本発明によれば、スリーブ材が袋体の少なくとも下端部から胴部を囲繞し、かつ、スリーブ材の内側に袋体が接着されているので、袋体とスリーブ材とが一体となって食品用複合容器を構成する。このような食品用複合容器において、スリーブ材には、前記袋体の両側部と該両側部間の２箇所とを含む計４か所に折れ線が付されており、これら折れ線のうち対角線上に位置する一対の折れ線が折り畳まれ、他の一対の折れ線が若干折り込まれて胴部の横断面が略菱形状となっている。このため、食品用複合容器は、袋体に収容された食品の大きさより若干大きくなるものの、食品に対して必要最小限の大きさを維持することができるので、流通時又は収納時において、嵩張ることがなく省スペース化を図ることができる。
【０００８】
一方、このような食品用複合容器を使用する場合には、袋体の上端部を開封し、一対の折れ線を起こしながら他の一対の折れ線を更に折り込むことで、スリーブ材の胴部の横断面を矩形状とする。このようにすることで、食品用複合容器をテーブル等に置いた際に、スリーブ材の下端部が支持部となって食品用複合容器を自立させることができ、また、スリーブ材と袋体とが一体となっているため、袋体の開封状態を維持することができる。このため、食品用複合容器を簡便に食器として使用することができる。
【０００９】
上記した発明において、使用状態において、前記胴部の横断面が矩形状であることが好ましい。
このようにすることで、食品用複合容器を容易に自立させることができる。ここで、使用状態とは、具体的には喫食する際の状態を意味する。
【００１０】
上記した発明において、前記袋体が耐熱性を有することが好ましい。
このようにすることで、袋体に例えば、熱湯を注入することができるので、食品用複合容器の内容物として所謂即席食品を適用することができる。
【００１１】
前記袋体の上端の一部が前記スリーブ材側に折り返されるようになっており、該折り返された部分が直飲部を構成することが好ましい。
このようにすることで、流通時や収納時に外部に曝されていない、袋体の内側がスリーブ材の上端部に露出するので、この袋体の内側を直飲部とすることにより簡便かつ清潔に食品用複合容器を食器として利用することができる。
【００１２】
上記した発明において、前記スリーブ材の上端部に、該上端部の少なくとも一部を覆う保護材が貼付されていることが好ましい。
このようにすることで、使用時に、この保護材を剥がすだけで、流通時や収納時に外部に曝されていない清潔な部分が露出するので、露出した清潔部分を直飲部とすることにより簡便かつ清潔に食品用複合容器を食器として利用することができる。
【００１３】
上記した発明において、前記スリーブ材の折れ線が折り畳まれることにより形成された角部のうち、少なくとも１の角部近傍が、前記袋体の側部を挟み込んで固定することが好ましい。
このようにすることで、袋体をスリーブ材により強固に接着乃至固定することができると共に、使用状態における食品用複合容器を自立させた際の安定性が向上する。
【００１４】
又本発明は、袋体の上端部を切断することにより開封し、前記スリーブ材の前記一対の折れ線を起こすと共に、前記他の一対の折れ線を更に折り込むことにより、スリーブ材の胴部の横断面を矩形状とする食品用複合容器の使用方法を提供する。
このようにすることで、食品用複合容器をテーブル等に置いた際に、スリーブ材の下端部が支持部となって食品用複合容器を自立させることができ、また、スリーブ材と袋体とが一体となっているため、袋体の開封状態を維持することができる。このため、食品用複合容器を簡便に食器として使用することができる。
【発明の効果】
【００１５】
本発明によれば、流通時又は収納時の省スペース化を図ると共に、簡便かつ衛生的に食器として利用することができる。
【図面の簡単な説明】
【００１６】
【図１】本発明の第１の実施形態に係る食品用複合容器の斜視図である。
【図２】本発明の第１の実施形態に係る食品用複合容器の横断面図である。
【図３】本発明の第１の実施形態に係る食品用複合容器におけるスリーブ材の展開図である。
【図４】本発明の第１の実施形態に係る食品用複合容器において、袋体を開封した状態の斜視図である。
【図５】本発明の第１の実施形態に係る食品用複合容器において、スリーブ材の胴部の横断面を矩形状とした状態の斜視図である。
【図６】本発明の第１の実施形態に係る食品用複合容器において、スリーブ材の胴部の横断面を矩形状とし、袋体の上部を折り返して直飲部を形成した状態の斜視図である。
【図７】本発明の第１の実施形態に係る食品用複合容器において、スリーブ材の胴部の横断面を矩形状とした状態における縦断面である。
【図８】本発明の第１の実施形態の他の例に係る食品用複合容器におけるスリーブ材の展開図である。
【図９】（Ａ）は、本発明の第１の実施形態の他の例に係る食品用複合容器において、スリーブ材の胴部の横断面を矩形状とした状態における縦断面図であり、（Ｂ）は、同状態における横断面図である。
【図１０】本発明の第２の実施形態に係る食品用複合容器の斜視図である。
【図１１】本発明の第２の実施形態に係る食品用複合容器の横断面図である。
【図１２】本発明の第２の実施形態に係る食品用複合容器におけるスリーブ材の展開図である。
【発明を実施するための形態】
【００１７】
（第１の実施形態）
以下に、本発明に係る食品用複合容器の第１の実施形態について、図面を参照して説明する。
図１は、本実施形態に係る食品用複合容器１の斜視図であり、食品用複合容器１は、内容物を収容し略扁平形状の袋体２と、袋体２の外側に設けられるスリーブ材３とを備えている。
【００１８】
袋体２は、耐熱性を有する略扁平形状の包装袋であり、例えば、即席味噌汁や即席スープ等のフリーズドライ食品、インスタント飲料を収容することができる。包装袋の材料は特に限定されるものではなく、例えば、耐熱性又は耐冷性を有する、或いは耐熱性及び耐冷性を有するプラスティックフィルムを適用することができる。そして、プラスティックフィルムを折り重ね、重ね合わせた部分を熱溶着等することにより袋状に形成して袋体２を構成する。
【００１９】
なお、袋体が耐熱性を有する場合には、例えば、袋体に直接熱湯を注いだり、電子レンジ等による調理を行ったりすることが可能となる。また、耐冷性を有する場合には、冷凍庫等に保管、収納することが可能となる。そして、耐熱性及び耐冷性を有する場合には、例えば、冷凍状態からそのまま電子レンジ等による調理を行うことも可能となる。
【００２０】
袋体２は、後述するスリーブ材３よりも縦方向において大きく形成されており、袋体２の上端の一部が後述するスリーブ材３に囲繞されずに露出している。袋体２の上端部の露出した部分は、使用時に、スリーブ材３側に折り返されて直飲部を構成するようになっている。
【００２１】
スリーブ材３は、袋体２の外部の少なくとも下端部から胴部を囲繞し、内側に袋体２が接着され、袋体２とスリーブ材３とが一体となるようになっている。スリーブ材３は、紙等の折り曲げ可能な板材からなり、図２に示すように、袋体２の未開封状態において、袋体２の両側部と両側部間の２箇所とを含む計４か所に折れ線１０ａ，１０ｂ，１０ｃ，１０ｄが付され、この折れ線１０ａ，１０ｂ，１０ｃ，１０ｄのうち対角線上に位置する一対の折れ線１０ａ，１０ｃが折り畳まれると共に、他の一対の折れ線１０ｂ，１０ｄが若干折り込まれることにより、胴部の横断面が略菱形状とされている。図２では、袋体２に略矩形状のフリーズドライ食品５が収容されている例を示している。
【００２２】
図３にスリーブ材３の展開図を示す。スリーブ材３の胴部は、第１面３ａ、第２面３ｂ、第３面３ｃ、第４面３ｄからなり、第４面３ｄにこの第４面３ｄと第１面３ａとを接着させるための糊代面３ｅが連続している。第１面３ａ、第２面３ｂ、第３面３ｃ、第４面３ｄ及び糊代面３ｅは、夫々折れ線１０ａ，１０ｂ，１０ｃ，１０ｄを介して連続しており、各折れ線１０ａ，１０ｂ，１０ｃ，１０ｄを折り曲げ、糊代面３ｅを第１面３ａの裏面に接着することにより、断面が矩形状の筒状のスリーブ材３となる。
【００２３】
以下、このように構成された食品用複合容器の使用方法の一例について説明する。
上述のように、スリーブ材３は、袋体２の未開封状態において、袋体２の両側部と該両側部間の２箇所とを含む計４か所に付された折れ線のうち、対角線上に位置する一対の折れ線１０ａ，１０ｃが折り畳まれると共に、他の一対の折れ線１０ｂ，１０ｄが若干折り込まれている。このため、食品用複合容器１のうち、スリーブ材３の胴部の横断面は、一対の折れ線１０ａ，１０ｃ間の距離よりも他の一対の折れ線１０ｂ，１０ｄ間の距離の方が短くされた偏平状の略菱形状となっている（図１及び図２参照）。他の一対の折れ線１０ｂ，１０ｄ間の距離は、フリーズドライ食品５にスリーブ材３の各面が当接するまで或いは当接する直前まで短くするのが、未使用状態において省スペース化を図れるので好ましい。
【００２４】
この状態から、食品用複合容器１の袋体２の上端部を開封し（図４参照）、一対の折れ線１０ａ，１０ｃを起こしながら他の一対の折れ線１０ｂ，１０ｄを更に折り込むことで、各折れ線１０ａ，１０ｂ，１０ｃ，１０ｄの折れ曲がり角度を略均一（それぞれの角部の角度を略９０°）とすることにより、スリーブ材３の胴部の横断面を矩形状とする（図５参照）。
【００２５】
続いて、図５に示すように、スリーブ材３より露出している袋体２の上端の一部２ａをスリーブ材３側に折り返す。これにより、図６及び図７に示すように、スリーブ材３の上端を袋体２よって覆うと共に、袋体２の内側を露出させることで折り返した部分を直飲部２ｂとする。
【００２６】
このように上述した食品用複合容器１によれば、未使用状態においては、袋体２に収容された食品の大きさより若干大きくなるものの、食品に対して必要最小限の大きさを維持することができるので、流通時又は収納時において、嵩張ることがなく省スペース化を図ることができる。特に、食品用複合容器１を非常食に適用することとした場合は、収納場所が小さい場合であっても大量の食品を収納し保管することができるので好ましい。また、食品用複合容器１に冷凍食品を収容した場合においては、冷凍庫という限られたスペースにおいて嵩張らずに収納ができて好ましい。
【００２７】
一方、使用状態においては、スリーブ材３の胴部の横断面が矩形状とされるので、食品用複合容器をテーブル等に置いた際に、スリーブ材３の下端部が支持部となって食品用複合容器を自立させることができ、また、スリーブ材３と袋体とが一体となっているため、袋体の開封状態を維持することができる。このため、例えば、食品用複合容器に熱湯等を注入することが可能となり、食品用複合容器を簡便に食器として使用することができる。
【００２８】
また、スリーブ材３より露出している袋体２の上端の一部２ａをスリーブ材３側に折り返すことにより、袋体２のうり流通時や収納時に外部に曝されていない内側がスリーブ材３の上端部に露出するので、露出した袋体２の内側を直飲部２ｂとすることにより、喫食者は直飲部に直接口をつけて飲食が可能となる。従って、簡便かつ清潔に食品用複合容器を食器として利用することができる。
【００２９】
なお、上述した実施形態においては、スリーブ材３を上面及び底面を有しない矩形状の筒形としたが、これに限られるものではなく、例えば、図８及び図９に示すような底部を有するスリーブ材９としてもよい。
【００３０】
図８は、スリーブ材９の展開図であり、糊代面３ｅを第１面３ａの裏面に接着させたときに、底面８ａ，８ｂ，８ｃ，８ｄが互いに嵌り合い、所謂地獄底を構成するようになっている。スリーブ材９を適用した食品用複合容器においても、未開封状態、すなわち未使用状態で、袋体２の両側部と該両側部間の２箇所とを含む計４か所に付された折れ線のうち、対角線上に位置する一対の折れ線１０ａ，１０ｃが折り畳まれると共に、他の一対の折れ線１０ｂ，１０ｄが若干折り込まれてスリーブ材９の胴部の横断面が略菱形状となる（図示せず）。
【００３１】
また同様に使用状態で、一対の折れ線１０ａ，１０ｃを起こしながら他の一対の折れ線１０ｂ，１０ｄを更に折り込むことで、各折れ線１０ａ，１０ｂ，１０ｃ，１０ｄの折れ曲がり角度を略均一とすることにより、底部を形成し、スリーブ材９の胴部の横断面を矩形状とする（図９参照）。
【００３２】
（第２の実施形態）
続いて、本発明に係る食品用複合容器の第２の実施形態について、図面を参照して説明する。本実施形態に係る食品用複合容器８と上述した実施形態に係る食品用複合容器１とは、スリーブ材の形状において相違する。上記した実施形態と同一の構成には同符号を付し、その説明を省略する。
【００３３】
図１０は、本実施形態に係る食品用複合容器８の斜視図であり、食品用複合容器８は、内容物を収容し略扁平形状の袋体２と、袋体２の外側に設けられるスリーブ材９とを備えている。
図１１に示すように、スリーブ材９は、袋体２の未開封状態において、袋体２の両側部と両側部間の２箇所とを含む計４か所に折れ線１０ａ，１０ｂ，１０ｃ，１０ｄが付され、この折れ線１０ａ，１０ｂ，１０ｃ，１０ｄのうち対角線上に位置する一対の折れ線１０ａ，１０ｃが折り畳まれると共に、他の一対の折れ線１０ｂ，１０ｄが若干折り込まれることにより、胴部の横断面が略菱形状とされている。
【００３４】
ここで、スリーブ材９の折れ線１０ａ，１０ｃが折り畳まれることにより形成された角部近傍に折れ線１０ｆ，１０ｇが付され、この折れ線１０ｆ，１０ｇが折り込まれることにより、折れ線１０ａ，１０ｃ近傍が袋体の側部を挟み込んで固定する固定部１２ａ，１２ｂとなっている。なお、図１１では、袋体２に略矩形状のフリーズドライ食品５が収容されている例を示している。
【００３５】
より具体的には、スリーブ材９は、紙等の折り曲げ可能な板材からなり、図１２に示すように、第１面９ａ、第２面９ｂ、第３面９ｃ、第４面９ｄからなり、第４面９ｄにこの第４面９ｄと第１面９ａとを接着させるための糊代面９ｅが連続している。また、第１面９ａ、第２面９ｂ、第３面９ｃ、第４面９ｄ及び糊代面９ｅは、夫々折れ線１０ａ，１０ｂ，１０ｃ，１０ｄを介して連続している。
【００３６】
折れ線１０ａの近傍には、折れ線１０ａと平行に、第１面９ａ側に折れ線１０ｆが、第２面９ｂ側に折れ線１０ｇが夫々付されている。同様に、折れ線１０ｃの近傍には、折れ線１０ｃと平行に、第３面９ｃ側に折れ線１０ｆが、第２面９ｂ側に折れ線１０ｇが付されている。各折れ線１０ａ，１０ｂ，１０ｃ，１０ｄを折り曲げ、糊代面９ｅを第１面９ａの裏面に接着することにより、断面が矩形状の筒状のスリーブ材９となる。
【００３７】
このとき、図１０〜図１２に示すように、折れ線１０ａ，１０ｃ近傍に付された折れ線１０ｆ，１０ｇが共に所望の角度だけ折り曲げられ、折り曲げられた部分が固定部１２ａ，１２ｂとなっている。固定部１２ａ，１２ｂは、袋体２の側部を挟み込んで固定しており、固定部１２ａ，１２ｂの内側面には袋体２の側部が接着剤等により接着されることで、袋体２がスリーブ材９に接着固定される。
【００３８】
このように構成された食品用複合容器８では、スリーブ材９は、袋体２の未開封状態において、袋体２の両側部と該両側部間の２箇所とを含む計４か所に付された折れ線のうち、対角線上に位置する一対の折れ線１０ａ，１０ｃが折り畳まれると共に、他の一対の折れ線１０ｂ，１０ｄが若干折り込まれている。このため、食品用複合容器１のうち、スリーブ材９の胴部の横断面は、一対の折れ線１０ａ，１０ｃ間の距離よりも他の一対の折れ線１０ｂ，１０ｄ間の距離の方が短くされた偏平状の略菱形状となっている（図１０及び図１１参照）。他の一対の折れ線１０ｂ，１０ｄ間の距離は、フリーズドライ食品５にスリーブ材９の各面が当接するまで或いは当接する直前まで短くするのが、未使用状態において省スペース化を図れるので好ましい。
【００３９】
この状態から、食品用複合容器８の袋体２の上端部を開封し、一対の折れ線１０ａ，１０ｃを起こしながら他の一対の折れ線１０ｂ，１０ｄを更に折り込むことで、各折れ線１０ａ，１０ｂ，１０ｃ，１０ｄの折れ曲がり角度を略均一（それぞれの角部の角度を略９０°）とすることにより、スリーブ材３の胴部の横断面を矩形状とする。
【００４０】
スリーブ材９の胴部の横断面が矩形状とされるので、食品用複合容器８をテーブル等に置いた際に、スリーブ材９の下端部が支持部となって食品用複合容器を自立させることができる。ここで、本実施形態においては、スリーブ材９に固定部１２ａ，１２ｂが設けられているので、固定部１２ａ，１２ｂの下端部も支持部として機能する。このため、例えば、食品用複合容器を自立させる際に、より安定度が向上し、固定部１２ａ，１２ｂによりスリーブ材９と袋体２とがより強固に接着されて一体となっているため、袋体の開封状態をより安定的に維持することができる。
【００４１】
なお、本実施形態においても、上述した実施形態と同様に、スリーブ材９より露出している袋体２の上端の一部２ａをスリーブ材９側に折り返すことより、スリーブ材９の上端を袋体２よって覆うと共に、袋体２の内側を露出させることで折り返した部分を直飲部とすることができる。また、固定部は、一つの角部だけに設けることも、一対の角部或いは、全ての角部に設けることもできる。
【００４２】
また、上述した各実施形態においては、直飲み部として袋体の上端をスリーブ材側に折り返すことにより、袋体の内側を露出させる構成としたが、これに限られるものでなく、直飲み部としては、流通時や収納時に露出していなかった清潔な部分を適用すればよい。このため、スリーブ材の上端部に、該上端部の少なくとも一部を覆う保護材を貼付することができる。この場合、使用時に、この保護材を剥がすだけで、流通時や収納時に外部に曝されていない清潔な部分が露出するので、露出した清潔な部分を直飲部とすることにより簡便かつ清潔に食品用複合容器を食器として利用することができる。
【符号の説明】
【００４３】
１  食品用複合容器
２  袋体
２ｂ  直飲部
３  スリーブ材
８  食品用複合容器
９  スリーブ材
１０ａ，１０ｂ，１０ｃ，１０ｄ，１０ｆ，１０ｇ  折れ線
【図１】
2014105013.tif 000003
【図２】
2014105013.tif 000004
【図３】
2014105013.tif 000005
【図４】
2014105013.tif 000006
【図５】
2014105013.tif 000007
【図６】
2014105013.tif 000008
【図７】
2014105013.tif 000009
【図８】
2014105013.tif 000010
【図９】
2014105013.tif 000011
【図１０】
2014105013.tif 000012
【図１１】
2014105013.tif 000013
【図１２】
2014105013.tif 000014